(57)【要約】【課題】冷却用首巻きのファッション性を向上させることができ、また、使用に際して冷却用首巻き全体が濡れることによる不快感を減少させ、吸水の際の作業性を向上させる冷却用首巻きを用いた首冷却具を提供する。【解決手段】本考案の首冷却具１０は、吸水性部材が封入された帯状の冷却用首巻き１と、冷却用首巻き１が着脱可能に取り付けられる帯状布帛からなる被覆部材２とからなる。冷却用首巻きは、両端部に設けられた首巻側取付部１３ａ，１３ｂを備え、被覆部材２は、所定長離間するように設けられた首巻側取付部１３ａ，１３ｂを取付可能な２つの被覆部材側取付部２３ａ，２３ｂを有する。【選択図】  図１
0003171026.tif 000002
【実用新案登録請求の範囲】
【請求項１】
吸水性部材が封入された帯状の冷却用首巻きであって、衣類に脱着可能に取り付けるための取付手段を備えたことを特徴とする冷却用首巻き。
【請求項２】
前記取付手段は、ボタン、面ファスナーまたはホックである請求項１に記載の冷却用首巻き。
【請求項３】
前記衣類は、スカーフ、ネックバンド、バンダナ又はタオルである請求項１または２に記載の冷却用首巻き。
【請求項４】
前記衣類は、被服である請求項１または２に記載の冷却用首巻き。
【請求項５】
前記吸水性部材は、吸水性ポリマー又は高吸水性繊維からなるものである請求項１ないし４のいずれかに記載の冷却用首巻き。
【請求項６】
前記冷却用首巻きは、両端部に、前記吸水性部材を収納しない吸水性部材非収納部が形成されており、前記吸水性部材非収納部に、前記取付手段が設けられている請求項１ないし４のいずれかに記載の冷却用首巻き。
【請求項７】
請求項１ないし６のいずれかに記載の冷却用首巻きと、前記冷却用首巻きが着脱可能に取り付けられる帯状布帛からなる被覆部材とからなる首冷却具であり、前記冷却用首巻きは、前記冷却用首巻きの両端部に設けられた前記取付手段を構成する首巻側取付部を備え、前記被覆部材は、所定長離間するように設けられた前記首巻側取付部を取付可能な２つの被覆部材側取付部を有することを特徴とする首冷却具。
【請求項８】
前記被覆部材は、前記冷却用首巻きの一方の面を被覆し、かつ、少なくとも他方の面の上縁部および下縁部を被包するものである請求項７に記載の首冷却具。
【請求項９】
前記被覆部材は、前記冷却用首巻きの一方の面および他方の面の全面を被包するものである請求項７に記載の首冷却具。
【請求項１０】
前記被覆部材が、スカーフ状被覆部材である請求項７ないし９のいずれかに記載の首冷却具。
【請求項１１】
前記被覆部材は、幅方向に設けられ、前記被覆部材の幅を伸縮させるとともに、前記冷却用首巻きの前記被覆部材による被包を補助する伸縮部材を備えている請求項７ないし１０のいずれかに記載の首冷却具。
【請求項１２】
前記伸縮部材が、前記被覆部材の幅方向の両端間に取り付けられた糸ゴムである請求項１１に記載の首冷却具。
【請求項１３】
前記首巻側取付部および前記首巻側取付部は、ボタンとボタンホール、一対の面ファスナーまたは一対のホックである請求項７ないし１２のいずれかに記載の首冷却具。
【請求項１４】
前記冷却用首巻きは、両端部に、前記吸水性部材を収納しない吸水性部材非収納部が形成されており、前記吸水性部材非収納部に、前記首巻側取付部が設けられている請求項７ないし１３のいずれかに記載の首冷却具。
【請求項１５】
請求項１ないし５のいずれかに記載の冷却用首巻きと、前記冷却用首巻きが着脱可能に取り付けられる衣服とからなる衣類であり、前記冷却用首巻きは、前記冷却用首巻きの両端部に設けられた前記取付手段を構成する首巻側取付部を備え、前記衣服は、所定長離間するように設けられた前記首巻側取付部を取付可能な２つの衣服側取付部を有することを特徴とする衣類。
【請求項１６】
吸水性部材が封入された帯状の冷却用首巻きと、前記冷却用首巻きが着脱可能に取り付けられる帯状布帛からなる被覆部材とからなる首冷却具であり、前記冷却用首巻きは、前記冷却用首巻きの両端部に設けられた取付手段を構成する首巻側取付部を備え、前記被覆部材は、所定長離間するように設けられた前記首巻側取付部を取付可能な２つの被覆部材側取付部を有し、前記首巻側取付部および前記首巻側取付部は、ボタンとボタンホール、一対の面ファスナーまたは一対のホックであり、前記被覆部材が、スカーフ状被覆部材であり、前記冷却用首巻きは、両端部に、前記吸水性部材を収納しない吸水性部材非収納部が形成されており、前記吸水性部材非収納部に、前記首巻側取付部が設けられていることを特徴とする首冷却具。
【請求項１７】
前記被覆部材は、前記冷却用首巻きの一方の面を被覆し、かつ、少なくとも他方の面の上縁部および下縁部を被包するものである請求項１６に記載の首冷却具。
【請求項１８】
前記被覆部材は、前記冷却用首巻きの一方の面および他方の面の全面を被包するものである請求項１６に記載の首冷却具。
【考案の詳細な説明】
【技術分野】
【０００１】
この考案は、含水させて使用する首回りに巻き付ける冷却用首巻き、首冷却具および冷却用首巻きを用いた衣類に関する。
【背景技術】
【０００２】
近年、スカーフ、ネックバンド、バンダナ、タオル状の形態を採用した冷却用首巻きが考案されている。最近の電力事情より、冷却用首巻きの利用が増加している。これらの冷却用首巻きには、袋部を備えてその内部に吸水性ポリマーや高吸水性繊維などの吸水性材料を収納しており、使用時には、前もって、水桶等を用いて首巻き全体を水に浸すことにより吸水性材料に水を染み込ませ、この首巻きを首回りに巻き付けて、吸水性材料に染み込んだ水が徐々に蒸発する際に奪われる気化熱により首回りの冷涼感を得ようとするものである（特許文献１参照）。
【先行技術文献】
【特許文献】
【０００３】
【特許文献１】特開２０１０−１５６０９１号公報、図１等
【考案の概要】
【考案が解決しようとする課題】
【０００４】
しかしながら、このような従来の冷却用首巻きにおいては以下のような問題があった。前述した従来の冷却用首巻きでは、使用者の首回りに取り付けて使用されるという、ファッション性に鑑みて極めて重要な箇所に使用される衣類の一態様であるにもかかわらず、水に浸して吸水性材料に吸水させる必要があるため、透水性のある素材を用いなければならないため、表面の絵柄に制約を受けたり、アップリケ等の装飾品の貼りつけに制約を受けるなど装飾に制約を受けざるを得なかった。また、特定のデザインが施されたものしか使用することができずファッション性に乏しいという問題があった。
【０００５】
また、予め所定時間、吸水性材料に水を吸水させるために首巻きのほぼ全体を水に浸しておく必要があるため、当該首巻き全体が濡れた状態となってしまう。このため、スカーフ、ネックバンド、バンダナ、タオルなどの衣類全体が水浸しになり、着用する際に不快感を生ずる原因となっていた。また、吸水性材料を収納した部位のみを水に浸せば良いにも関わらず、吸水性材料を収納した部位以外の部位が大きくなる場合には、その他の部位が水桶回りにはみ出して邪魔になるなど首巻きを水に浸すための作業が繁雑になり易いという問題があった。
【０００６】
本考案が解決しようとする目的は、前述の従来技術の問題点を解決するものであり、冷却用首巻きのファッション性を向上させることができ、また、使用に際して冷却用首巻き全体が濡れることによる不快感を減少させ、吸水の際の作業性を向上させる冷却用首巻き及び冷却用首巻きを用いた衣類を提供することにある。
【課題を解決するための手段】
【０００７】
上記課題を解決するものは以下のものである。
（１）  吸水性部材が封入された帯状の冷却用首巻きであって、衣類に脱着可能に取り付けるための取付手段を備えた冷却用首巻き。
（２）  前記取付手段は、ボタン、面ファスナーまたはホックである上記（１）に記載の冷却用首巻き。
（３）  前記衣類は、スカーフ、ネックバンド、バンダナ又はタオルである上記（１）または（２）に記載の冷却用首巻き。
（４）  前記衣類は、被服である上記（１）または（２）に記載の冷却用首巻き。
（５）  前記吸水性部材は、吸水性ポリマー又は高吸水性繊維からなるものである上記（１）ないし（４）のいずれかに記載の冷却用首巻き。
（６）  前記冷却用首巻きは、両端部に、前記吸水性部材を収納しない吸水性部材非収納部が形成されており、前記吸水性部材非収納部に、前記取付手段が設けられている上記（１）ないし（４）のいずれかに記載の冷却用首巻き。
【０００８】
また、上記課題を解決するものは以下のものである。
（７）  上記（１）ないし（６）のいずれかに記載の冷却用首巻きと、前記冷却用首巻きが着脱可能に取り付けられる帯状布帛からなる被覆部材とからなる首冷却具であり、前記冷却用首巻きは、前記冷却用首巻きの両端部に設けられた前記取付手段を構成する首巻側取付部を備え、前記被覆部材は、所定長離間するように設けられた前記首巻側取付部を取付可能な２つの被覆部材側取付部を有する首冷却具。
（８）  前記被覆部材は、前記冷却用首巻きの一方の面を被覆し、かつ、少なくとも他方の面の上縁部および下縁部を被包するものである上記（７）に記載の首冷却具。
（９）  前記被覆部材は、前記冷却用首巻きの一方の面および他方の面の全面を被包するものである上記（７）に記載の首冷却具。
（１０）  前記被覆部材が、スカーフ状被覆部材である上記（７）ないし（９）のいずれかに記載の首冷却具。
（１１）  前記被覆部材は、幅方向に設けられ、前記被覆部材の幅を伸縮させるとともに、前記冷却用首巻きの前記被覆部材による被包を補助する伸縮部材を備えている上記（７）ないし（１０）のいずれかに記載の首冷却具。
（１２）  前記伸縮部材が、前記被覆部材の幅方向の両端間に取り付けられた糸ゴムである上記（１１）に記載の首冷却具。
（１３）  前記首巻側取付部および前記首巻側取付部は、ボタンとボタンホール、一対の面ファスナーまたは一対のホックである上記（７）ないし（１２）のいずれかに記載の首冷却具。
（１４）  前記冷却用首巻きは、両端部に、前記吸水性部材を収納しない吸水性部材非収納部が形成されており、前記吸水性部材非収納部に、前記首巻側取付部が設けられている上記（７）ないし（１３）のいずれかに記載の首冷却具。
【０００９】
また、上記課題を解決するものは以下のものである。
（１５）  上記（１）ないし（５）のいずれかに記載の冷却用首巻きと、前記冷却用首巻きが着脱可能に取り付けられる衣服とからなる衣類であり、前記冷却用首巻きは、前記冷却用首巻きの両端部に設けられた前記取付手段を構成する首巻側取付部を備え、前記衣服は、所定長離間するように設けられた前記首巻側取付部を取付可能な２つの衣服側取付部を有する衣類。
【００１０】
また、上記課題を解決するものは以下のものである。
（１６）  吸水性部材が封入された帯状の冷却用首巻きと、前記冷却用首巻きが着脱可能に取り付けられる帯状布帛からなる被覆部材とからなる首冷却具であり、前記冷却用首巻きは、前記冷却用首巻きの両端部に設けられた取付手段を構成する首巻側取付部を備え、前記被覆部材は、所定長離間するように設けられた前記首巻側取付部を取付可能な２つの被覆部材側取付部を有し、前記首巻側取付部および前記首巻側取付部は、ボタンとボタンホール、一対の面ファスナーまたは一対のホックであり、前記被覆部材が、スカーフ状被覆部材であり、前記冷却用首巻きは、両端部に、前記吸水性部材を収納しない吸水性部材非収納部が形成されており、前記吸水性部材非収納部に、前記首巻側取付部が設けられている首冷却具。
（１７）  前記被覆部材は、前記冷却用首巻きの一方の面を被覆し、かつ、少なくとも他方の面の上縁部および下縁部を被包するものである上記（１６）に記載の首冷却具。
（１８）  前記被覆部材は、前記冷却用首巻きの一方の面および他方の面の全面を被包するものである上記（１６）に記載の首冷却具。
【考案の効果】
【００１１】
本考案の冷却用首巻きおよび首冷却具は、前述の構成とされており、スカーフ、ネックバンド、バンダナ、タオル又は被服等の衣類（もしくは帯状布帛からなる被覆部材）に脱着可能に取り付けられているので、冷却用首巻きの本体の吸水性材料に吸水させる際に、冷却用首巻きのみを水に浸せばよく、スカーフその他の衣類の素材（もしくは被覆部材）については、水に浸す際の浸透性や水濡れによる影響を大きく考慮する必要性は無い。例えば、冷却用首巻きの表面素材は水の浸透性を十分に考慮する必要がある。また、浸透性に配慮するために絵柄などに制約を受ける度合いが強くなる。しかしながら、本考案では、冷却用首巻きから取り外し可能な衣類（もしくは被覆部材）の素材については、このような浸透性等を考慮する必要性が少ないので、布地や絵柄等の装飾の選択の制限を少なくすることができる。したがって、一般的なスカーフその他の衣類と同程度のファッション性を確保することができる。
【００１２】
また、スカーフその他の衣類に脱着可能に設けられているので、他の絵柄などのスカーフその他の衣類に変更することが可能である。また、取り付ける衣類の種類も変更することができる。このようにして、冷却用首巻きを使用する際にも、これが取り付けられる衣類の絵柄の変更、衣類自体の変更を行うことができるので、冷却用首巻きを取り付ける衣類のファッション性をより向上させること、及び冷却用首巻きを取り付ける衣類の変更による利便性の向上を図ることができる。
【００１３】
また、本考案の冷却用首巻きおよび首冷却具は、ボタン、面ファスナー、ホック又はゴムバンドによって衣類（もしくは被覆部材）に脱着可能に取り付けられているので、衣類への脱着作業を容易にすることができる。
【００１４】
また、本考案の首冷却具は、冷却用首巻きの全体を被覆可能な帯状布帛からなる被覆部材が取り付けられているので、冷却用首巻き自体を覆い隠すことができ、使用者の首周りの美観を損ねずファッション性を向上させることができる。
【００１５】
また、本考案の首冷却具は、被覆部材の幅方向に設けられ、被覆部材の幅を伸縮させるとともに、冷却用首巻きの被覆部材による被包を補助する伸縮部材を備えているので、被覆部材の冷却用首巻きへの被覆が容易であり、また、被覆部材による冷却部材の被覆状態を維持も容易となる。
【図面の簡単な説明】
【００１６】
【図１】図１は、本考案の一実施例の冷却用首巻きおよびそれを用いた本考案の首冷却具の分解斜視図である。
【図２】図２は、図１に示した冷却用首巻きの正面図である。
【図３】図３は、図１に示した首冷却具に用いられている被覆部材の正面図である。
【図４】図４は、図１に示す首冷却具であって、冷却用首巻きに被覆部材を取り付けた状態の首冷却具の正面図である。
【図５】図５は、本考案の他の実施例の冷却用首巻きおよびそれを用いた本考案の首冷却具の分解斜視図である。
【図６】図６は、図５に示した冷却用首巻きの背面図である。
【図７】図７は、図５に示した首冷却具に用いられている被覆部材の正面図である。
【図８】図８は、図５に示す首冷却具であって、冷却用首巻きに被覆部材を取り付けた状態の首冷却具の正面図である。
【図９】図９は、本考案の他の実施例の冷却用首巻きおよびそれを用いた本考案の首冷却具の分解斜視図である。
【図１０】図１０は、図９に示す首冷却具であって、冷却用首巻きに被覆部材を取り付け、被包部材により包み込んだ状態の首冷却具の斜視図である。
【図１１】図１１は、本考案の冷却用首巻きの使用状態の説明図である。
【図１２】図１２は、本考案の冷却用首巻きを用いた被服の分解斜視図である。
【考案を実施するための形態】
【００１７】
本考案の冷却用首巻き、冷却用首巻きを用いた衣類および首冷却具を図面に示した実施例を用いて説明する。
本考案の冷却用首巻き１は、吸水性部材が封入された帯状の冷却用首巻きであって、衣類に脱着可能に取り付けるための取付手段１３ａ，１３ｂを備えている。
また、本考案の首冷却具１０は、上記の冷却用首巻き１と、冷却用首巻き１が着脱可能に取り付けられる帯状布帛からなる被覆部材２とからなり、冷却用首巻き１は、冷却用首巻きの両端部に設けられた取付手段を構成する首巻側取付部１３ａ，１３ｂと、被覆部材２に、所定長離間するように設けられた首巻側取付部１３ａ，１３ｂを取付可能な２つの被覆部材側取付部２３ａ，２３ｂを有している。
【００１８】
そこで、冷却用首巻きの「衣類」及び首冷却具の「被覆部材」として、スカーフ状物を用いた実施例について説明する。
この実施例の首冷却具１０は、冷却用首巻き１と、冷却用首巻き１が着脱可能に取り付けられる帯状布帛からなる被覆部材２とからなる。
そして、冷却用首巻き１は、内部に収納部１４を有する首巻き本体１１と、首巻き本体１１内に封入された吸水性部材１２と、首巻き本体１１の両端部に設けられた首巻側取付部１３ａ，１３ｂを備えている。
【００１９】
首巻き本体１１は、透水性のあるシート（例えば、布帛、不織布、補強紙）によって構成された帯状物を折り曲げることにより形成されている。具体的には、図１および図２に示されるように、矩形状の一枚のシートの中央部分を直線状に折り曲げてこの折り曲げ部分を平面視における長手方向の一辺を縁部とし、重ね合わされた残りの三辺を縁部として巻きロックによって縫製した縫製部とし、内部に収容部を備える袋状に全体を形成している。首巻き本体１１の形成材料としては、天然繊維（例えば、綿）、再生繊維（例えば、再生セルロース）、合成繊維（例えば、ポリエステル）、合成樹脂（例えば、ポリエステル）などを用いた透水性を有するシート状物が使用される。
【００２０】
そして、この実施例の冷却用首巻き１では、長手方向両端部には、それぞれ首巻側取付部を構成するボタンホール１３ａ，１３ｂが設けられている。さらに、ボタンホール１３ａ，１３ｂよりやや中央側となる部分には、首巻き本体１１の長手方向を横切る（言い換えれば、幅方向全体に延びる）ように設けられた縫い目１５ａ，１５ｂがそれぞれ設けられている。冷却用首巻き１の吸水性部材収容部は、これらの各縫い目１５ａ及び１５ｂと、上縁部および下縁部により囲まれることにより形成されている。そして、この収容部内には、吸水性部材１２が所定量封入されている。吸水性部材１２としては、粒状の吸水性ポリマー、高吸水性繊維束などを用いることが好ましい。そして、この実施例の冷却用首巻き１では、両端部に、吸水性部材非収納部１８ａ，１８ｂが形成されており、この吸水性部材非収納部１８ａ，１８ｂに、首巻側取付部が設けられている。このため、冷却用首巻き１を水に浸漬し、吸水性部材を吸水させたとき、吸水性部材収納部１４が膨潤しても、両端部の吸水性部材非収納部１８ａ，１８ｂは、膨潤しないため、首巻側取付部と後述する被覆部材側取付部２３ａ，２３ｂとの取付を良好に行うことができ、かつ、取付状体を確実に維持できる。また、この実施例では、首巻き本体１１は、幅方向の中央部付近に位置し、収容部の長手方向に沿って延びる縫い目１６を備えている。この縫い目１６を設けることにより、封入した吸水性部材の移動が規制されている。
【００２１】
この実施例の首冷却具１では、被覆部材２は、スカーフ状のもとなっており、それ自体衣類（スカーフ）として、使用可能である。
スカーフ状被覆部材２は、図１および図３に示されるように、被覆部材本体２１と、被覆部材本体２１に取り付けられた被覆部材側取付部２３ａ，２３ｂとからなる。そして、被覆部材２（被覆部材本体２１）は、冷却用首巻き１と同様に、長手方向に細長い帯状のものとなっている。さらに、被覆部材本体２１は、上述した冷却用首巻き１よりも長く、幅も広いものとなっている。このため、被覆部材２は、冷却用首巻き１を背面側全体を被包可能であり、かつ、冷却用首巻き１の両端より延出する延出部２４ａ，２４ｂを有している。そして、この延出部２４ａ，２４ｂを用いて、結ぶことが可能である。また、この実施例では、被覆部材２は、冷却用首巻き１の一方の面を被覆し、かつ、少なくとも他方の面の上縁部および下縁部を被包可能なものが用いられている。
【００２２】
そして、冷却用首巻き１の幅は約３０〜６０ｍｍ程度が好ましく、被覆部材２の幅は、冷却用首巻き１の幅より、１０ｍｍ以上、好ましくは、２０ｍｍ以上長いことが好ましい。そして、被覆部材２は、薄い布帛（生地）で構成されている。また、被覆部材２の形成材料としては、ポリエステル、ナイロンなどの合成繊維、再生セルルースなどの再生繊維、絹、綿などの天然繊維により形成された布帛、不織布などが用いられる。また、被覆部材２は、表面にプリントされた模様、織り柄、刺繍などを有するものであってもよい。
また、図１及び図３に示されるように、被覆部材２の表面（内面）には、前述した冷却用首巻き１の２つのボタンホール１３ａ，１３ｂにそれぞれ適合するボタン２３ａ、２３ｂが取り付けられている。２つのボタン２３ａ，２３ｂは、冷却用首巻き１の２つのボタンホール１３ａ，１３ｂとほぼ同じ距離離間するように配置されている。
【００２３】
また、この実施例では、スカーフ状被覆部材２は、幅方向に設けられ、被覆部材２の幅を伸縮させるとともに、冷却用首巻き１の被覆部材２による被包を補助する伸縮部材を備えている。具体的には、被覆部材２を幅方向において縮めるようにするために、被覆部材２の幅方向に沿って糸ゴム２２ａ，２２ｂ，２２ｃ，２２ｄが取り付けられている。この糸ゴム２２ａ，２２ｂ，２２ｃ，２２ｄにより、図４に示されるように、冷却用首巻き１の上縁部および下縁部（言い換えれば、両端縁部）に被覆部材の上縁部および下縁部（言い換えれば、両端縁部）が容易に引っかけられるようものとなっている。このため、被覆部材２による冷却用首巻き１の被包が容易となるとともに、被覆状態を良好に保持できるものとなっている。特に、この実施例のものでは、４本の糸ゴム２２ａ，２２ｂ，２２ｃ，２２ｄが被覆部材２の長手方向において所定距離離間するように取り付けられており、糸ゴム２２ａ，２２ｂ，２２ｃ，２２ｄの配置領域全体において、被覆部材２による冷却用首巻き１への被覆を確実なものとしている。なお、伸縮部材としては糸ゴムに限られず帯状のゴムなど他の手段を用いても良い。
【００２４】
次に、図５ないし図８に示す実施例の首冷却具２０について説明する。
この実施例の首冷却具２０は、冷却用首巻き１ａと、冷却用首巻き１ａが着脱可能に取り付けられる帯状布帛からなる被覆部材２ａとからなる。
そして、冷却用首巻き１ａと上述した冷却用首巻き１との相違は、首巻側取付部の相違のみであり、その他部分は、上述した説明を参照するものとする。同様に、被覆部材２ａと上述した被覆部材２との相違も、被覆部材側取付部の相違のみであり、その他部分は、上述した説明を参照するものとする。
【００２５】
この実施例の冷却用首巻き１ａでは、長手方向両端部の背面には、それぞれ首巻側面ファスナー１７ａ，１７ｂが設けられている。また、図５及び図７に示されるように、被覆部材２ａの表面（内面）には、前述した冷却用首巻き１ａの２つの首巻側面ファスナー１７ａ，１７ｂのそれぞれと着脱可能に係合する被覆部材側面ファスナー２７ａ、２７ｂが取り付けられている。２つの被覆部材側面ファスナー２７ａ、２７ｂは、冷却用首巻き１ａの２つの首巻側面ファスナー１７ａ，１７ｂとほぼ同じ距離するように配置されている。
【００２６】
次に、図９および図１０に示す実施例の首冷却具３０について説明する。
この実施例の首冷却具３０は、上述した冷却用首巻き１ａと、冷却用首巻き１ａが着脱可能に取り付けられる帯状布帛からなる被覆部材２ｂとからなる。冷却用首巻き１ａと上述した冷却用首巻き１との相違は、上述したように、首巻側取付部の相違のみである。被覆部材２ｂと上述した被覆部材２ａとの相違は、被覆部材本体２１ａの形態のみである。
この被覆部材２ｂでは、上述した被覆部材２，２ａのような伸縮部材（ゴム糸）を備えていない。また、この被覆部材２ｂでは、その幅が、全体において、上述した被覆部材２，２ａより、広く、冷却用首巻き１ａの一方の面および他方の面の全面を被包可能なものとなっている。このため、図１０に示すように、被覆部材２ｂに冷却用首巻き１ａを装着した後、被覆部材２ａの上縁部および下縁部を折り曲げることにより、冷却用首巻き１ａの全体を被包可能なものとなっている。このため、この首冷却具３０では、使用時において、冷却用首巻き１ａが露出しないものとなっている。
【００２７】
また、上述したすべての実施例において、冷却用首巻きと被覆部材との取付手段は、上述したボタンとボタンホールによるもの、一対の面ファスナーによるものに限定されるものではなく、例えば、ホックなどであってもよい。
また、上述したすべての実施例において、被覆部材は、スカーフ状のものに限定されるものではなく、ネックバンド、バンダナ又はタオルなどであっておよい。
【００２８】
そして、上述した首冷却具１０は、以下のようにして使用する。まず、冷却用首巻き１からスカーフ状被覆部材２を取り外しておく。吸水性部材１２に水を含水させるために、洗面器や水桶等を利用して冷却用首巻き１の吸水性部材収容部全体を水に浸漬させ、そのまま数分間放置する。吸水性部材として、吸水性ポリマーを用いた場合、十分な量の水が吸収されると冷却用首巻き１全体が膨らむため、目視にて所定の大きさに膨らんだ状態が確認できれば冷却用首巻き１を水から取り出す。次いで冷却用首巻き１表面の水分をタオルなどで軽く拭き取った後に、被覆部材のボタン２３ａ，２３ｂを冷却用首巻き１のボタンホール１３ａ，１３を通過させて、被覆部材２を冷却用首巻き１に再び取り付ける。そして、図１１に示されるように、被覆部材（スカーフ）２によって覆われた冷却用首巻き１を首周りに巻き付けて使用する。
【００２９】
この首冷却具１０では、冷却用首巻き１を被覆部材２より取り外して水に浸すことができるため、被覆部材２自体を水に浸漬する必要がない。よって、被覆部材２を不必要に含水させる必要がなく、使用時の着衣への水の浸透を極めて少ないものとすることができる。また、被覆部材の形成素材として、使用時の水濡れによる影響を考慮する必要性が少ない。例えば、冷却用首巻き１の表面素材と同様に、従来の冷却用首巻きであれば表面素材について水の浸透性を十分に考慮する必要があり、絵柄などに制約を受ける度合いが強くなるが、本例では被覆部材２の素材について使用時の水濡れによる影響を考慮する必要性が少ないのでこのような制約を受ける度合いが少ない。したがって、絵柄の選択の幅が狭まることなく、また、アップリケその他の装飾部材を取り付けることもできる。よって、一般的なスカーフを使用する際と同程度のファッション性を確保することができる。また、被覆部材２を取り外し可能としているので、他の絵柄などのスカーフに変更することが可能である。よって、よりファッション性を向上させることができる。
【００３０】
また、前述のように、糸ゴム２２ａ，２２ｂ，２２ｃ，２２ｄにより被覆部材２の両端部が冷却用首巻き１の両端部に僅かに覆うように設けられているので、表面側においては被覆部材２が冷却用首巻き１の全体を確実に覆うことができ、冷却用首巻き１が外側に露呈して美観を損ねることが無い。また一方、裏面側においては冷却用首巻き１裏面側のほとんどを露呈させるので、冷却用首巻き１の裏面のほとんどを使用者の首に接触させることができ、冷却用首巻き１の冷涼効果を損ねることがない。
【００３１】
次いで、本考案の冷却用首巻き１ａを用いた別の衣類について、図１２に示す実施例を用いて説明する。
本考案の衣類４０は、上述した冷却用首巻き１ａと、冷却用首巻き１ａが着脱可能に取り付けられる衣服４１とからなる。冷却用首巻き１ａは、冷却用首巻きの両端部に設けられた取付手段を構成する首巻側取付部１７ａ，１７ｂを備え、衣服４１は、所定長離間するように設けられた首巻側取付部１７ａ，１７ｂを取付可能な２つの衣服側取付部４３ａ，４３ｂを有している。
冷却用首巻き１ａとしては、上述した通りであり、表面側の長手方向両端部には、それぞれ首巻側取付部（首巻側面ファスナー）１７ａ，１７ｂを備えている。そして、図１２に示されるように、「衣服」の一例であるポロシャツ４１は、その首元４２の内側に、上記の首巻側面ファスナー１７ａ，１７ｂと着脱可能に係合する衣服側取付部（衣類側面ファスナー）４３ａ，４３ｂが取り付けられている。このようにして、冷却用首巻き１ａを、ポロシャツ４１などの被服に対しても取り外しできるようにすることができる。本例においては、冷却用首巻き１ａと対比して、これに取り付けられるポロシャツ４１が大きく、冷却用首巻き１ａとポロシャツ４１とが脱着不可能であれば冷却用首巻き１ａを水に浸す際にポロシャツ４０が非常に邪魔になり、また、ポロシャツ４０自体が水に濡れてしまい易い。しかしながら、本例では冷却用首巻き１ａがポロシャツ４１に対して脱着可能に設けられているので、このような作業の簡便化が図れ、また、ポロシャツ４０自体の水濡れを減少させることができる。
【００３２】
本考案は前述の例に限られず、本考案の趣旨の範囲内で適宜の変更が可能である。例えば、冷却用首巻きを、スカーフやポロシャツ以外の衣類に取り付けるものとすることもできる。また、取付手段の数も前述の例のような二つ以外に、一つ又は三つ以上に変更することでも良い。また、面ファスナーの形状も、特に限定されず、例えば、冷却用首巻きの長手方向に沿って細長に形成された単一の面ファスナーなどとすることでも良い。
【符号の説明】
【００３３】
１，１ａ  冷却用首巻き
２，２ａ，２ｂ  被覆部材
１０，２０，３０  首冷却具，
１２  吸水性部材
１３ａ，１３ｂ  首巻側取付部（ボタンホール）
２３ａ，２３ｂ  被覆部材側取付部（ボタン）
１７ａ，１７ｂ  首巻き側面ファスナー
２２ａ，２２ｂ，２２ｃ，２２ｄ  糸ゴム
２７ａ，２７ｂ  被覆部材側面ファスナー
４１  衣服（ポロシャツ）
【図１】
0003171026.tif 000003
【図２】
0003171026.tif 000004
【図３】
0003171026.tif 000005
【図４】
0003171026.tif 000006
【図５】
0003171026.tif 000007
【図６】
0003171026.tif 000008
【図７】
0003171026.tif 000009
【図８】
0003171026.tif 000010
【図９】
0003171026.tif 000011
【図１０】
0003171026.tif 000012
【図１１】
0003171026.tif 000013
【図１２】
0003171026.tif 000014